(57)【特許請求の範囲】
【請求項１】
底壁(1)及び側壁(2,3)を備え、対向する側壁(2)を、外側板(4)と内側板(6)とを備えた二重構造とし、内側板(6)の中間部に拡開する支持片(8)を設け、外側板(4)に、基端をヒンジとして揺動する押込片(9)を切込により設け、押込片(9)の先端両角部に斜縁(9a)を形成し、押込片(9)の基端部に、外側板(4)への切込により、折り曲げの反発を軽減して戻り止めする戻止突起(9b)を形成し、押込片(9)を内側へ押し込むと、内側板(6)の中間部の支持片(8)が側壁(2)から押し出され、反発により押込片(9)の斜縁(9a)に当接して、所定角度に保持され、支持片(8)にパック(P)のフランジを載せると、パック(P)が宙吊り状態で支持されるようにしたパック収納用トレー。
【請求項２】
前記対向する側壁(2)間に仕切(10)を渡し、仕切(10)の端部を、内側板(6)の中間部の支持片(8)で挟むと共に、押込片(9)の先端部に設けた凹所(9c)で挟むようにしたことを特徴とする請求項１に記載のパック収納用トレー。
【発明の詳細な説明】
【技術分野】
【０００１】
この発明は、いちごパック等の運搬に使用する段ボール製トレーに関するものである。
【背景技術】
【０００２】
従来、この種の段ボール製トレーとして、下記特許文献１には、図１１に示すように、底壁５１の周囲各辺に各一対の側壁５２，５３を連設し、一方の対向する側壁５２を、外側板５４、頂板５５及び内側板５６を備えた二重構造とし、それぞれ対向する側壁５２，５３間に十字状に仕切５７，５８を渡したものが記載されている。
【０００３】
内側板５６の端部及び中間部には、拡開する支持片５９，６０が設けられ、仕切５８の端部及び中間部にも拡開する支持片６１，６２が設けられている。端部の支持片５８，６１は、反発により先端が側壁５３の内面に当接し、中間部の支持片６０，６２は、反発により先端が仕切５７に当接して、支持片５９乃至６２が所定角度に保持される。
【０００４】
このようなトレーでは、支持片５９乃至６２にパックＰのフランジを載せると、パックＰが宙吊り状態で支持されるので、トレーの底壁５１とパックＰの底面との間に隙間ができ、この隙間により輸送中の衝撃が緩和されて、パックＰの底部に詰められたいちご等の傷みが防止される。
【先行技術文献】
【特許文献】
【０００５】
【特許文献１】特許第３８１３５９０号公報
【発明の概要】
【発明が解決しようとする課題】
【０００６】
しかしながら、上記のようなトレーでは、組み立てに際し、内側板５６の中間部の支持片６０を所定角度より大きな角度に折り曲げた状態で手で保持しつつ、仕切５７を挿入しなければならず、作業に困難を伴うという問題がある。
【０００７】
そこで、この発明は、パックを宙吊り支持するトレーを、容易に組み立てて保形できるようにすることを課題とする。
【課題を解決するための手段】
【０００８】
上記課題を解決するため、この発明は、底壁及び側壁を備え、対向する側壁を、外側板と内側板とを備えた二重構造とし、内側板の中間部に拡開する支持片を設けたパック収納用トレーにおいて、外側板に、基端をヒンジとして揺動する押込片を切込により設け、押込片を内側へ押し込むと、内側板の中間部の支持片が側壁から押し出され、反発により押込片の角部に当接して、所定角度に保持され、支持片にパックのフランジを載せると、パックが宙吊り状態で支持されるようにしたのである。
【０００９】
また、前記対向する側壁間に仕切を渡し、仕切の端部を、内側板の中間部の支持片で挟むと共に、押込片の先端部に設けた凹所で挟むようにしたのである。
【発明の効果】
【００１０】
この発明に係るパック収納用トレーでは、組み立てに際し、押込片を内側へ押し込むだけで、支持片が拡開して所定角度に保持されるので、支持片を折り曲げた状態で手で保持しておく必要がなく、容易に組み立てることができる。
【００１１】
また、仕切の端部を押込片の先端部に設けた凹所で挟むようにすると、仕切の揺動が抑制され、保形性が向上する。
【図面の簡単な説明】
【００１２】
【図１】この発明の第１実施形態に係るトレーのブランクを示す図
【図２】同上の組立過程を示す斜視図
【図３】同上の使用状態を示す斜視図
【図４】同上の使用状態を示す平面図
【図５】図４のＶ−Ｖ線に沿った断面図
【図６】この発明の第２実施形態に係るトレーのブランクを示す図
【図７】同上の組立過程を示す斜視図
【図８】同上の使用状態を示す斜視図
【図９】同上の使用状態を示す平面図
【図１０】図９のＸ−Ｘ線に沿った断面図
【図１１】従来のトレーの使用状態を示す斜視図
【発明を実施するための形態】
【００１３】
まず、この発明の第１実施形態を図１乃至図５に基づいて説明する。
【００１４】
このパック収納用トレーは、図１に示すように段ボールシートを打ち抜いたブランクから構成される。このブランクでは、長方形の底壁１の一対の長辺に側壁２が連設され、他対の短辺に側壁３が連設されている。側壁２は、底壁１から外側板４、頂板５及び内側板６を順次連設したものとされ、側壁３の両側端には折込片７が連設されている。
【００１５】
内側板６の両端部及び中間部には、垂直な罫線を基端のヒンジとして揺動する支持片８が設けられている。両端部の支持片８は、先端側が内側板６から張り出し、中間部の支持片８は、先端側となる切目を介して一対突き合わされている。
【００１６】
外側板４の中間部には、門型に入れた切目の内側に、水平な基端の罫線をヒンジとして揺動する押込片９が設けられている。押込片９の先端両角部には斜縁９ａが形成され、押込片９の基端部には、外側板４への切込により、折り曲げの反発を軽減して戻り止めする戻止突起９ｂが形成されている。
【００１７】
内側板６の先端縁には、内側板６の反発を抑制する保形用の係止突起６ａが形成され、外側板４、頂板５及び内側板６に亘る２本の切目間には、段積み用の係合凸部５ａとなる部分が形成されている。底壁１の外側板４に沿った部分には、組立時に係止突起６ａが係合すると共に、段積み時に係合凸部５ａが係合する係合穴１ａが形成されている。
【００１８】
折込片７には、外側板４と内側板６との間における折込片７のがたつきを防止して保形性を高めるため、折曲片７ａが設けられると共に、係合凸部５ａの干渉を回避するため、切込部７ｂが設けられている。
【００１９】
上記ブランクからトレーを組み立てるには、図２に示すように、底壁１から側壁３を起こし、折込片７を底壁１と側壁２との境界に沿って内側へ折り曲げ、折曲片７ａを内側水平方向へ折り曲げた後、底壁１から側壁２の外側板４を起こし、頂板５及び内側板６を巻き込むように折り曲げ、折込片７を側壁２で抱き込む。
【００２０】
このとき、図３乃至図５に示すように、内側板６の両端部の支持片８を内側へ折り曲げつつ、頂板５及び内側板６を巻き込むように折り曲げると、両端部の支持片８は、先端が反発により側壁３の内面に当接し、所定角度に拡開した状態に保持される。
【００２１】
そして、係止突起６ａを係合穴１ａに係合させると、内側板６の反発による戻りが阻止され、係合凸部５ａは、山型に折れ曲がって、頂板５から上方へ突出する。
【００２２】
その後、押込片９を内側へ押し込むと、内側板６の中間部の支持片８が側壁２から押し出され、反発により押込片９の斜縁９ａに当接して、所定角度に保持される。
【００２３】
このように、上記トレーでは、組み立てに際し、押込片９を内側へ押し込むだけで、支持片８が拡開して所定角度に保持されるので、支持片８を折り曲げた状態で手で保持しておく必要がなく、容易に組み立てることができる。
【００２４】
そして、上記のようなトレーにいちごのパックＰを収納する際には、パックＰのフランジを支持片８に載せると、パックＰは、宙吊り状態で支持され、トレーの底壁１とパックＰの底面との間に隙間ができるので、輸送中の衝撃によりパックＰの底部に詰められたいちごの潰れが防止され、潰れた部分からの腐敗が防止される。
【００２５】
次に、この発明の第２実施形態を図６乃至図１０に基づいて説明する。なお、この実施形態の基本的構成は、上記第１実施形態と共通するため、共通の部分には同一の符号を付して説明を省略する。
【００２６】
このパック収納用トレーは、図６に示すようなブランクから成り、トレー本体とは別体の仕切１０を備えている。仕切１０は、一対の仕切板１１を頂板１２を介して連設し、仕切板１１の両側端部に差込溝１１ａを、先端縁中央部に係止突起１１ｂをそれぞれ設け、一対の仕切板１１及び頂板１２に亘って、パックＰの取出時に手を入れる手入穴１２ａを設けたものとされている。
【００２７】
また、トレー本体には、底壁１の中央部に係止穴１ｂが、頂板５及び内側板６に亘って挿入穴５ｂが設けられると共に、押込片９の先端中央部に凹所９ｃが設けられている。
【００２８】
上記ブランクからトレーを組み立てる際には、図７に示すように、仕切１０の一対の仕切板１１を対向するように折り曲げ、仕切１０を上方から下降させて、対向する側壁２間に渡すようにする。
【００２９】
そして、図８乃至図１０に示すように、仕切１０の各端部を側壁２の挿入穴５ｂ及び押込片９の凹所９ｃに挿入し、差込溝１１ａに内側板６を差し込み、係止突起１１ｂを係止穴１ｂに係合させる。
【００３０】
このとき、内側板６の中間部の支持片８が押込片９により所定角度に拡開した状態に保持されているので、中間部の一対の支持片８を手で保持しなくても、これらの支持片８の間に仕切１０の両端部を挿入できる。
【００３１】
上記のように組み立てたトレーでは、仕切１０の両端部が内側板６の中間部の支持片８で挟まれると共に、押込片９の凹所９ｃで挟まれ、凹所９ｃの両側縁に規制されて、仕切１０の揺動が抑制されるので、保形性が向上する。
【００３２】
なお、上記各実施形態では、パックＰを２個収納するものを例示したが、それ以上の個数のパックＰを一列に並べて収納するトレーにおいても、上記構成を適用できる。
【００３３】
また、パックＰを縦横に複数個並べて収納するトレーにおいても、上記のような構成を適用することができる。この場合、仕切１０に直交する仕切を対向する側壁３間に渡し、その仕切の両端部及び中間部を切り起こして、パックＰの仕切側のフランジを支持する支持片を形成すればよい。
【００３４】
また、上記各実施形態では、底壁１の周囲各辺に側壁２，３が連設されたトレーを例示したが、周方向に連設された側壁２，３の下端から底壁１を構成するフラップを延出した溝切型段ボール箱のようなトレーにおいても、同様の構成を適用できる。
【００３５】
そのほか、側壁２の内側板６の端部に支持片８を設けたものを例示したが、側壁２に加えて、側壁３も二重構造とし、その内側板６の端部を切り起こすことにより、支持片８を形成してもよく、トレー本体とは別の支持部材をトレー内に挿入して、その支持部材と内側板６の中間部の支持片８とでパックＰを支持するようにしてもよい。
【符号の説明】
【００３６】
１  底壁
１ａ  係合穴
１ｂ  係止穴
２，３  側壁
４  外側板
５  頂板
５ａ  係合凸部
５ｂ  挿入穴
６  内側板
６ａ  係止突起
７  折込片
７ａ  折曲片
７ｂ  切込部
８  支持片
９  押込片
９ａ  斜縁
９ｂ  戻止突起
９ｃ  凹所
１０  仕切
１１  仕切板
１１ａ  差込溝
１１ｂ  係止突起
１２  頂板
１２ａ  手入穴
Ｐ  パック
【図１】
0005425650.tif 000002
【図２】
0005425650.tif 000003
【図３】
0005425650.tif 000004
【図４】
0005425650.tif 000005
【図５】
0005425650.tif 000006
【図６】
0005425650.tif 000007
【図７】
0005425650.tif 000008
【図８】
0005425650.tif 000009
【図９】
0005425650.tif 000010
【図１０】
0005425650.tif 000011
【図１１】
0005425650.tif 000012